(57)【要約】【課題】本発明は、外郭セキュリティシステムへの動物の接触や強風など外部の何らかの要因により発生する警報誤認の問題を改善した弾持球を備えるフェンスの乗越え検知棒に関するものであり、フェンスの乗越え検知後に速やかに元の状態に修復可能なフェンスの乗越え検知棒を提供する。【解決手段】このために、本発明によるフェンスの乗越え検知棒は、網若しくは線を支持する支持部と、前記支持部の一方の側に延びる軸結合部と、を有する支持棒と、前記支持棒が旋回可能に軸結合部と係合用軸により結合された軸支持台と、前記係合用軸を中心に設定されたトルクよりも大きなトルクが前記軸結合部に加えられる場合にのみ前記支持棒の旋回を許容する弾持球と、前記支持棒の旋回有無を感知する感知手段と、を備える。本発明によれば、弾持球及び弾性手段により外部の何らかの要因による警報誤認を低減し、確実なフェンスの乗越え検知効果が得られる。【選択図】図2
2012514806.tif 000002
【特許請求の範囲】
【請求項１】
網若しくは線を支持する支持部（１１１）と、前記支持部（１００）の一方の側に延びる軸結合部（１１５）と、を有する支持棒（１００）と、
前記支持棒（１００）が旋回可能に軸結合部（１１５）と係合用軸（３１０）により結合された軸支持台（１２０）と、
前記係合用軸（３１０）を中心に設定されたトルクよりも大きなトルクが前記軸結合部（１１５）に加えられる場合にのみ前記支持棒（１００）の旋回を許容する弾持球（２１０）と、
前記支持棒の旋回有無を感知する感知手段と、
を備える、フェンスの乗越え検知棒。
【請求項２】
前記支持棒（１００）の旋回に対する抵抗力を加えられるように前記弾持球（２１０）の一部が引っ掛かる掛止手段を備え、
前記弾持球（２１０）は、前記支持棒（１００）の旋回の際に前記弾持球（２１０）にかかる弾性力を勝ち取って前記掛止手段から脱抜されるものである、請求項１に記載のフェンスの乗越え検知棒。
【請求項３】
前記感知手段は、前記支持棒（１００）の旋回の際にフェンスの乗越え検知用ケーブルを切断するケーブル切断手段を備えるものである、請求項１又は請求項２に記載のフェンスの乗越え検知棒。
【請求項４】
前記切断手段は、
前記軸結合部（１１５）の一方の面に取り付けられ、前記弾持球（２１０）が移動可能な弾持球移動孔（２２３）付き軸結合部切断カバー（３４０）と、
前記軸結合部切断カバー（３４０）と向かい合い、前記軸支持台（１２０）の一方の面に取り付けられる軸支持台切断カバー（３４５）と、
前記係合用軸（３１０）から所定の距離だけ離れ、前記軸結合部（１１５）と、前記軸支持台（１２０）と、前記軸結合部切断カバー（３４０）及び前記軸支持台切断カバー（３４５）にそれぞれ貫設されて互いに連通され、前記軸結合部切断カバー（３４０）と前記軸支持台切断カバー（３４５）との間の相対回転の際に検知ケーブルが切断される検知ケーブル切断孔（１３０）と、
を備えるものである、請求項３に記載のフェンスの乗越え検知棒。
【請求項５】
前記感知手段は、電気的に接続される両電極間の接触有無に応じて支持棒の旋回有無を感知するものである、請求項１又は請求項２に記載のフェンスの乗越え検知棒。
【請求項６】
前記掛止手段は、前記軸結合部（１１５）と向かい合って前記軸支持台（１２０）に取り付けられ、前記弾持球（２１０）が引っ掛かるように弾持球掛止溝（２２５）が凹設された弾持球掛止カバー（３４７）であり、
前記感知手段は、
前記係合用軸（３１０）から所定の距離だけ離れ、前記軸結合部（１１５）と、前記軸支持台（１２０）及び前記弾持球掛止カバー（３４７）にそれぞれ貫設されて互いに連通される電極嵌込孔（１３５）と、
前記電極嵌込孔（１３５）に嵌り込んで前記弾持球掛止カバー（３４７）と軸結合部（１１５）とが接触する面において互いに電気的に接続され、支持棒が所定の角度だけ旋回する際にこれらの接触が解放される両電極（３６０、３６５）と、
を備えるものである、請求項２に記載のフェンスの乗越え検知棒。
【請求項７】
前記掛止手段は、軸支持台（１２０）または軸結合部（１１５）に凹設された弾持球掛止溝（２２５´）であり、
前記感知手段は、
前記係合用軸（３１０）から所定の距離だけ離れ、前記軸結合部（１１５）及び前記軸支持台（１２０）にそれぞれ貫設されて互いに連通される電極嵌込孔（１３５）と、
前記電極嵌込孔（１３５）に嵌り込んで前記軸結合部（１１５）と前記軸支持台（１２０）とが接触する面において互いに電気的に接続され、支持棒が所定の角度だけ旋回する際にこれらの接触が解放される両電極（３６０、３６５）と、
を備えるものである、請求項２に記載のフェンスの乗越え検知棒。
【発明の詳細な説明】
【技術分野】
【０００１】
本発明は、弾持球を備えるフェンスの乗越え検知棒に係り、さらに詳しくは、外郭セキュリティシステムへの動物の接触や強風など外部の何らかの要因により発生する警報誤認の問題を改善した弾持球を備えるフェンスの乗越え検知棒に関する。
【背景技術】
【０００２】
図１は、従来の技術による外郭セキュリティ装置を示している。
【０００３】
外郭セキュリティシステムは、軍隊や刑務所をはじめとして、徹底したセキュリティが求められる場所においてフェンスの乗越えの防止用及びその他のいくつかの用途に用いられる。かような外郭セキュリティシステムは、簡単には鉄造網をはじめとして、複雑には光ケーブルシステムや光網システムなどを用いたセキュリティシステムなどに至るまで多岐に亘るものが挙げられる。
【０００４】
既存の外郭セキュリティシステムを光ケーブルシステムなどの高価な装備に取り替えるためには、一次的にかなりのコストアップの問題が引き起こされる。資金が不足する場合、既存の鉄造網などの単純たるセキュリティシステムを改善するにはあまりにも高コストがかかるため、セキュリティシステムが改善し難い。特に、主に鉄造網により外郭セキュリティを行う場所ではかなりのコストをかけることを余儀なくされる。
【０００５】
この理由から、これまでは、既存のセキュリティシステムにセンサーなどの感知装置をさらに取り付けることにより、上述した問題点を改善してきたものの、望ましくないことに動物の接触や強風など外部の何らかの要因により発生する警報誤認の問題が引き起こされていた。
【発明の概要】
【発明が解決しようとする課題】
【０００６】
そこで、本発明の目的は、外郭セキュリティシステムへの動物の接触や強風など外部の何らかの要因により発生する警報誤認の問題を改善した弾持球を備えるフェンスの乗越え検知棒を提供することである。
また、本発明の他の目的は、フェンスの乗越え検知後に速やかに元の状態に修復可能なフェンスの乗越え検知棒を提供することである。
【課題を解決するための手段】
【０００７】
上述した目的を達成するために、本発明によるフェンスの乗越え検知棒は、網若しくは線を支持する支持部と、前記支持部の一方の側に延びる軸結合部と、を有する支持棒と、前記支持棒が旋回可能に軸結合部と係合用軸により結合された軸支持台と、前記係合用軸を中心に設定されたトルクよりも大きなトルクが前記軸結合部に加えられる場合にのみ前記支持棒の旋回を許容する弾持球と、前記支持棒の旋回有無を感知する感知手段と、を備える。
【０００８】
また、本発明によるフェンスの乗越え検知棒は、前記支持棒の旋回に対する抵抗力を加えられるように前記弾持球の一部が引っ掛かる掛止手段を備え、前記弾持球は、前記支持棒の旋回の際に前記弾持球にかかる弾性力を勝ち取って前記掛止手段から脱抜されるように構成される。
【０００９】
さらに、本発明によるフェンスの乗越え検知棒において、前記感知手段は、前記支持棒の旋回の際にフェンスの乗越え検知用ケーブルを切断するケーブル切断手段を備える。
【００１０】
さらに、本発明によるフェンスの乗越え検知棒において、前記切断手段は、前記軸結合部の一方の面に取り付けられ、前記弾持球が移動可能な弾持球移動孔付き軸結合部切断カバーと、前記軸結合部切断カバーと向かい合い、前記軸支持台の一方の面に取り付けられる軸支持台切断カバーと、前記係合用軸から所定の距離だけ離れ、前記軸結合部と、前記軸支持台と、前記軸結合部切断カバー及び前記軸支持台切断カバーにそれぞれ貫設されて互いに連通され、前記軸結合部切断カバーと前記軸支持台切断カバーとの間の相対回転の際に検知ケーブルが切断される検知ケーブル切断孔と、を備えるように構成される。
【００１１】
さらに、本発明によるフェンスの乗越え検知棒において、前記感知手段は、電気的に接続される両電極間の接触有無に応じて支持棒の旋回有無を感知するように構成される。
【００１２】
さらに、本発明によるフェンスの乗越え検知棒において、前記掛止手段は、前記軸結合部と向かい合って前記軸支持台に取り付けられ、前記弾持球が引っ掛かるように弾持球掛止溝が形成された弾持球掛止カバーであり、前記感知手段は、前記係合用軸から所定の距離だけ離れ、前記軸結合部と、前記軸支持台及び前記弾持球掛止カバーにそれぞれ貫設されて互いに連通される電極嵌込孔と、前記電極嵌込孔に嵌り込んで前記弾持球掛止カバーと軸結合部とが接触する面において互いに電気的に接続され、支持棒が所定の角度だけ旋回する際にこれらの接触が解放される両電極と、を備えるように構成される。
【００１３】
さらに、本発明によるフェンスの乗越え検知棒において、前記掛止手段は、軸支持台または軸結合部に凹設された弾持球掛止溝であり、前記感知手段は、前記係合用軸から所定の距離だけ離れ、前記軸結合部及び前記軸支持台にそれぞれ貫設されて互いに連通される電極嵌込孔と、前記電極嵌込孔に嵌り込んで前記軸結合部と前記軸支持台とが接触する面において互いに電気的に接続され、支持棒が所定の角度だけ旋回する際にこれらの接触が解放される両電極と、を備えるように構成される。
【発明の効果】
【００１４】
本発明によれば、弾持球を備えるフェンスの乗越え検知棒は、弾持球及び弾性手段により検知棒が支持される力を受けるため、外部の何らかの要因により発生する警報誤認を低減する。これは、侵入者または脱走者がフェンスを乗り越えるとき、その荷重によって検知ケーブルが切断され、検知ケーブルの切断により警報を鳴らすことから、確実なフェンスの乗越え検知効果が得られる。なお、フェンスの乗越え検知後に、切断された検知ケーブルによって発生するセキュリティ空白時間は検知信号が発生した当該検知棒の検知ケーブルさえ連結または交換すればよいため、簡単に修復可能である。
【００１５】
また、検知ケーブルの代わりに互いに接触されている電極を嵌め込む場合にも、互いに接触されている電極の分離により警報を鳴らすことから、簡単で且つ確実なフェンスの乗越え検知を行うことが可能となる。
【００１６】
さらに、フェンスの乗越え検知後に、両電極が分離されている検知棒を両電極が互いに接触する位置に戻すだけで修復作業が簡単に終わる。これにより、メンテナンスコストが削減され、セキュリティ空白時間が短縮される。
【図面の簡単な説明】
【００１７】
【図１】図１は、従来の技術による外郭セキュリティ施設を示す図である。
【図２】図２は、本発明の一実施形態による弾持球を備えるフェンスの乗越え検知棒の構造を示す分解斜視図である。
【図３】図３は、本発明の一実施形態による弾持球を備えるフェンスの乗越え検知棒の構造を示す結合断面図である。
【図４】図４は、本発明の他の実施形態による弾持球を備えるフェンスの乗越え検知棒の構造を示す結合断面図である。
【図５】図５は、本発明のさらに他の実施形態による弾持球を備えるフェンスの乗越え検知棒の構造を示す結合断面図である。
【図６】図６は、本発明の一実施形態による弾持球圧力時のフェンスの乗越え検知棒の雨水流入防止カバーを示す図である。
【図７】図７は、本発明による弾持球を備えるフェンスの乗越え検知棒の使用例を示す図である。
【発明を実施するための形態】
【００１８】
以下、添付図面に基づき、本発明を詳述する。図面全般に亘って、同じ構成要素にはできる限り同じ符号を付していることに留意されたい。なお、本発明の要旨を余計に曖昧にする虞がある公知機能及び構成の場合、その具体的な説明は省略する。
図２は、本発明の一実施形態による弾持球を備えるフェンスの乗越え検知棒の構造を示す分解斜視図である。
【００１９】
図２を参照すると、本発明によるフェンスの乗越え検知棒は、支持棒１１０と、軸支持台１２０と、を備える。前記支持棒１１０は、網若しくは線を支持する支持部１１１及び軸結合部１１５を備える。
【００２０】
前記支持部１１１は、本発明によるフェンスの乗越え検知棒が、図７に示すように複数配設される場合に、フェンスの乗越え検知棒４２０とフェンスの乗越え検知棒４２０との間に検知網や検知ケーブルまたは鉄網などが配設される部分である。前記支持部１１１には１以上の網支え溝１５０を貫設する。
前記軸結合部１１５は、前記支持部１１１の一方の側から延設されるものであり、軸支持台１２０と係合される部分である。
【００２１】
前記軸結合部１１５の一方の面に穿設された弾持球収容孔２２０には、弾持球２１０及び弾性手段２３０を嵌め込む。前記弾持球２１０は、鋼鉄などの高強度の素材を使用することが好ましい。これは、前記弾持球２１０が弾性手段により生成される圧力に起因して変形されることを防止し、前記圧力を維持するためである。また、鋼鉄の代わりに、これに類似する強度の強化プラスチックなどを使用してもよい。前記弾性手段２３０は、筒状圧縮ばねを使用することが好ましく、このとき、弾持球収容孔２２０の内部に発生する圧縮ばねとの摩擦を減らすために、潤滑油を塗布してもよい。
【００２２】
前記弾持球２１０は、後述する係合用軸３１０を中心に軸結合部１１５に設定されたトルク以上のトルクが加えられるときに、弾性手段２３０の弾性力を勝ち取って支持棒１００の旋回を許容する。
【００２３】
前記軸結合部１１５と軸支持台１２０とが向かい合う面のうち、軸結合部１１５の一方の面には軸結合部切断カバー３４０を取り付ける。前記軸結合部切断カバー３４０は、防錆などのために、ステンレス鋼を使用することが好ましい。前記軸結合部切断カバー３４０には、前記弾持球２１０が通過可能な弾持球移動孔２２３が穿設される。
また、前記軸結合部切断カバー３４０と前記軸支持台１２０とが向かい合う面のうち、軸支持台１２０の一方の面に軸支持台切断カバー３４５を取り付ける。前記軸支持台切断カバー３４０も、防錆などのために、ステンレス鋼を使用することが好ましい。さらに、前記軸支持台切断カバー３４５の一方の面には、前記弾持球２１０が載置可能な弾持球掛止溝２２５が凹設されている。これにより、前記弾持球２１０の一部が前記弾持球掛止溝２２５に収容されて設定された荷重以上が作用しない状態では前記支持棒１１０と前記軸支持台１２０との相対的な旋回運動が阻止される。これは、動物（鳥類など）の接触や強風など外部の何らかの要因により発生する警報誤認を低減する役割を果たす。
【００２４】
前記弾持球収容孔２２０の内部には弾性調節ボルト２３５を締め付け、外部から前記弾性手段２３０の弾性力を増減できるようにすることが好ましい。前記支持棒の旋回荷重は、前記弾持球収容孔２２０の数によって決定されてもよく、嵌り込んだ弾性手段２３０の圧縮強度によって決定されてもよい。
【００２５】
さらに、前記弾持球２１０の数は前記弾持球移動孔２２３の数よりも少数であってもよい。これは、場合によって、より小さな荷重に対して検知棒が反応できるように前記弾持球収容孔２２０に嵌り込んだ弾持球２１０及び弾性手段２３０を一部脱抜することがあるためである。このため、全ての弾持球収容孔２２０に必ずしも弾持球２１０及び弾性手段２３０が嵌り込む必要はなく、１以上の弾持球２１０及び弾性手段２３０が配設されるだけでも検知棒が作動可能である。
【００２６】
一方、前記軸支持台１２０は、前記支持棒１１０が旋回可能に軸結合部１１５と係合溝３３０に嵌り込んだ係合用軸３１０により結合される。なお、旋回の際に発生する摩擦を減らすために、係合溝３３０の内部に潤滑油を塗布することが好ましい。
【００２７】
さらに、前記軸結合部１１５には、前記係合用軸３１０から所定の距離だけ離れて検知ケーブル切断孔１３０が貫通される。また、同様に、前記検知ケーブル切断孔１３０を、前記軸支持台１２０と、前記軸結合部切断カバー３４０及び前記軸支持台切断カバー３４５に貫設する。このとき、好ましくは、前記検知ケーブル切断孔１３０は、検知棒の正常な設置状態でそれぞれの切断孔１３０が互いに連通されるような個所に貫設する。なお、前記検知ケーブル切断孔１３０には検知ケーブルが嵌り込んで、前記軸結合部切断カバー３４０と前記軸支持台切断カバー３４５とが相対的に回転して互いにずれたときに前記検知ケーブルが切断される。
【００２８】
例えば、軸結合部切断カバー３４０の検知ケーブル切断孔１３０と、軸支持台切断カバー３４５の検知ケーブル切断孔１３０とが互いに接触する部分において少なくとも１つの角部が切断されるように加工する。前記角部は、レーザー加工により直角または鋭角に加工する。
【００２９】
もし、前記支持棒１１０が荷重を受けて前記係合用軸３１０を中心に旋回すると、軸結合部１１５と軸結合部切断カバー３４０とが一体に旋回する。また、軸結合部切断カバー３４０の検知ケーブル切断孔１３０と、前記軸支持台１２０の検知ケーブル切断孔１３０とが互いにずれることにより、前記検知ケーブルが切断される。
【００３０】
図３は、本発明の一実施形態によるフェンスの乗越え検知棒の結合断面図である。図３を参照すると、前記弾性調節ボルト２３５は、外部から六角レンチやドライバーなどを用いて前記弾性手段２３０の圧力を調節するために、筒状無頭ボルトを使用することが好ましい。
【００３１】
さらに、前記弾持球２１０の一部のみが前記弾持球掛止溝２２５に収容されるように軸支持台切断カバー３４５の厚さを適切に調節する必要がある。これは、支持棒１００が設定された荷重またはその荷重により発生するトルク以上の力を受けて係合用軸３１０を中心に旋回するときに、弾持球２１０が弾性力を勝ち取って弾持球掛止溝２２５から脱抜されるためである。
【００３２】
以上で、弾持球２１０及び弾性手段２３０が軸結合部１１５寄りに配設された構成を説明したが、軸支持台１２０寄りに配設されても、上述した作用効果と同じ作用効果が得られることはいうまでもない。
【００３３】
図４は、本発明の他の実施形態によるフェンスの乗越え検知棒の結合断面図である。図４に示す本発明の他の実施形態によるフェンスの乗越え検知棒は、電気的に接続される両電極３６０、３６５を用いる。すなわち、支持棒１１０の旋回の際に前記両電極３６０、３６５間の電気的な接続が解放されるように構成することにより、侵入者のフェンスの乗越えを検知している。
【００３４】
図４を参照すると、前記軸結合部１１５と軸支持台１２０とが向かい合う面のうち、軸支持台１２０の一方の面に弾持球掛止カバー３４７を取り付け、前記弾持球掛止カバー３４７の一方の面には前記弾持球２１０の一部を収容する弾持球掛止溝２２５を凹設する。
【００３５】
また、前記軸結合部１１５には、前記係合用軸３１０から所定の距離だけ離して電極嵌込孔１３５を貫設する。さらに、前記電極嵌込孔１３５を前記軸支持台１２０及び弾持球掛止カバー３４７にも貫設し、これにより、検知棒の正常な設置状態でそれぞれの電極嵌込孔１３５同士が互いに連通される。
【００３６】
さらに、前記電極嵌込孔１３５に互いに電気的に接続される両電極３６０、３６５を嵌め込み、前記弾持球掛止カバー３４７と軸結合部１１５とが接触する面に前記両電極３６０、３６５を接触させて電流を流す。前記両電極３６０、３６５は電気的な接続部を除く絶縁物質により被覆することが好ましく、外部のノイズなどによる誤動作を防止するために電極にシールド処理を施してもよい。
【００３７】
前記両電極３６０、３６５の検知ケーブルへの連結は、検知ケーブル連結ソケット３７０の連結或いは半田付けにより行う。なお、前記検知ケーブル連結ソケット３７０の連結部位或いは半田付け部位の絶縁を図ると共に、腐食を防止するために、シリコンを塗り付けてもよい。
前記電極３６０、３６５は、導電金属製の円形棒であることが好ましい。
【００３８】
この実施形態においては、前記支持棒１１０が荷重トルクを受けて前記係合用軸３１０を中心に旋回すれば、前記両電極３６０、３６５間の接触が解放され、両電極３６０、３６５間に流れていた電流が遮断されて警報が鳴る。
一方、図５に示す検知棒は、弾持球掛止カバー３４７を有さないことを除いては、図４に示す感知棒とその基本的な構成が同様である。
【００３９】
図５を参照すると、前記弾持球掛止カバー３４７に凹設された弾持球掛止溝２２５が軸支持台１２０に凹設され、前記弾持球２１０が軸支持台１２０に凹設された弾持球掛止溝２２５′に引っ掛かる。
【００４０】
このような相違点を除いては、図５に示す検知棒は、図４に示す検知棒と同じ作用効果を有する。なお、図５の構成を変えて、弾持球掛止溝２２５′が軸支持台１２０ではなく軸結合部１１５に凹設され、弾持球収容孔２２０及び弾性手段２３０が軸支持台１２０に配設されるように構成することも可能である。
【００４１】
図６は、本発明の一実施形態によるフェンスの乗越え検知棒の雨水流入防止カバー３５０を示す図である。前記軸結合部１１５及び前記軸支持台１２０が結合された後に外部に露出されると、雨やその他の物質に汚される虞がある。特に、冬場の雪や雨により前記軸結合部１１５及び前記軸支持台１２０が結合されたままで凍り付いてしまうと、所望のフェンスの乗越えの防止効果が得られなくなる。上述した問題点を解消するために、前記軸結合部１１５及び前記軸支持台１２０を保護する雨水流入防止カバー３５０を覆い被せることが好ましい。前記雨水流入防止カバー３５０は、軟質の合成樹脂材質から形成し、蛇腹状に成形することが好ましい。
【００４２】
図７は、本発明によるフェンスの乗越え検知棒の使用例を示す図であり、前記フェンスの乗越え検知棒４２０が既存の鉄造網４１０の上部に付設された状態を示している。
【００４３】
侵入者がフェンスの乗越えを試みるときには、前記フェンスの乗越え検知棒４２０や検知棒４２０間の網４３０を把持して這い上がることとなる。このとき、本発明による検知棒４２０または検知網４３０が引っ張られ、この引っ張る力によって前記支持棒１００が旋回する。これにより、軸結合部１１５及び前記軸支持台１２０にそれぞれ穿設された検知ケーブル切断孔１３０が互いにずれ、その検知ケーブル切断孔１３０に嵌り込んだ前記検知ケーブルは切断される。検知ケーブルが切断されると、検知ケーブルに流れる電流信号に変化が起こるため、制御器（図示せず）がその変化を感知して警報を鳴らす。
【００４４】
一方、上述した他の実施形態においても、侵入者が引っ張る力によって支持棒１００が旋回すると、前記電極嵌込孔１３５に嵌り込んだ前記両電極３６０、３６５が互いにずれる。これにより、両電極間に流れていた電流が遮断され、電流の遮断が感知されると、警報が鳴る。
【００４５】
さらに、フェンスの乗越えを検知した状況が終わった後、検知ケーブルが切断された場合には、検知信号を生じさせた当該フェンスの乗越え検知棒４２０の検知ケーブルさえ連結または交換すればよい。なお、前記両電極３６０、３６５が互いにずれて電流が遮断された場合であれば、前記支持棒１００を元の位置に戻すだけで元の状態に修復することができる。
上述したように簡単に修復可能であるため、メンテナンスコストの削減及びセキュリティ空白時間の短縮化が図れるという効果がある。
【００４６】
以上で、本発明が、具体的な構成要素などの特定の事項と限定された実施の形態および図面によって説明されたが、これは本発明のより全般的な理解への一助となるために提供されたものに過ぎず、本発明がこれらの実施の形態に限定されることはなく、本発明が属する技術分野において通常の知識を持つ者であれば、このような記載から様々な修正および変形を図ることができる。
【産業上の利用可能性】
【００４７】
本発明は、外部人の侵入を防止するためのセキュリティ施設に設置するフェンスの乗越え検知棒に関するものである。本発明によれば、確実なフェンスの乗越え検知効果が発揮されることから、軍隊、収監施設、出入統制地域など様々な場所に広く設置して活用できる。
【符号の説明】
【００４８】
１１０：支持棒、
１１１：支持部、
１１５：軸結合部、
１２０：軸支持台、
１３０：検知ケーブル切断孔、
１３５：電極嵌込孔、
１５０：網支え溝、
２１０：弾持球、
２２０：弾持球収容孔、
２２３：弾持球移動孔、
２２５、２２５´：弾持球掛止溝、
２３０：弾性手段、
２３５：弾性調節ボルト、
３１０：係合用軸、
３２０：係合用軸結合手段、
３３０：係合溝、
３４０：軸結合部切断カバー、
３４５：軸支持台切断カバー、
３４７：弾持球掛止カバー、
３５０：雨水流入防止カバー、
３６０：軸結合部連結電極、
３６５：軸支持台連結電極、
３７０：検知ケーブル連結ソケット、
４１０：鉄造網、
４２０：本発明によるフェンスの乗越え検知棒、
【図２】
2012514806.tif 000003
【図３】
2012514806.tif 000004
【図４】
2012514806.tif 000005
【図５】
2012514806.tif 000006
【図６】
2012514806.tif 000007
【図７】
2012514806.tif 000008
【図１】
2012514806.tif 000009
【国際調査報告】
2012514806.tif 000010
2012514806.tif 000011
2012514806.tif 000012
2012514806.tif 000013